(57)【要約】顧客に提供するネイルアートに係るネイルチップの見本をハードケースやフレーム、ボード、台座、等に配置して、顧客に提示又は店舗内で展示するのに適した展示用ネイルチップを提供すること。また、このような展示用ネイルチップを構成するネイルチップ及びネイルチップ配置補助具を提供すること。本発明の展示用ネイルチップは、ネイル本体（１）と、前記ネイル本体のネイルチップ展示具への配置を補助するネイルチップ配置補助具（１４ａ、１４ｂ）とを備えている。前記ネイルチップ配置補助具（１４ａ、１４ｂ）は、前記ネイル本体の厚み部（３）、前記ネイル本体の周縁の厚み部（１ｈ）、前記ネイル本体の凹状に湾曲している面（１ｂ）、前記ネイル本体の凹状に湾曲している面（１ｂ）に形成されている土台部（４）、前記ネイル本体の凸状に湾曲している面（１ａ）のいずれかと一体成形されている。
2016181925.tif 000002
【特許請求の範囲】
【請求項１】
以下の構成を備えるネイルチップ。
（１）ネイル本体
（２）前記ネイル本体のネイルチップ展示具への配置を補助するネイルチップ配置補助具を取り付ける取付部。
（３）前記取付部は、以下の何れかに形成されている。
（ａ）前記ネイル本体の厚み部
（ｂ）前記ネイル本体の周縁の厚み部
（ｃ）前記ネイル本体の凹状に湾曲している面
（ｄ）前記ネイル本体の凹状に湾曲している面に形成されている土台部
（ｅ）前記ネイル本体の凸状に湾曲している面
【請求項２】
前記取付部は、以下の構成の何れかを備える請求項１記載のネイルチップ。
（１）前記ネイルチップ配置補助具の一方側が取り付けられる平坦部
（２）前記ネイルチップ配置補助具の一方側が取り付けられる突起部又は凹部
（３）前記ネイルチップ配置補助具の一方側が挿入又は螺入される孔
（４）前記ネイルチップ配置補助具の一方側に形成されている係合部が係合される被係合部
【請求項３】
前記土台部は塑性変形可能な部材からなる
請求項１又は２記載のネイルチップ。
【請求項４】
前記突起部は塑性変形可能な部材からなる
請求項２記載のネイルチップ。
【請求項５】
前記係合部と被係合部とは、前記ネイル本体の前記ネイルチップ展示具への配置角度を調節可能に係合される
請求項２記載のネイルチップ。
【請求項６】
以下の構成を備えるネイル本体のネイルチップ展示具への配置を補助するネイルチップ配置補助具。
（１）取付補助体
（２）前記取付補助体の一方側は以下の何れかに取り付けられる。
（ａ）前記ネイル本体の厚み部
（ｂ）前記ネイル本体の周縁の厚み部
（ｃ）前記ネイル本体の凹状に湾曲している面
（ｄ）前記ネイル本体の凹状に湾曲している面に形成されている土台部
（ｅ）前記ネイル本体の凸状に湾曲している面
（３）前記取付補助体の他方側には、針状体、棒状体、板状体、柱状体、筒状体、球状体、錐体、粘着部材、磁石、吸着部材、面ファスナーのフック部又はループ部から選択される一又は複数の部材を備える取付補助部材が取り付けられる取付部が形成されている。
【請求項７】
前記取付部は、以下の構成の何れかを備える請求項６記載のネイルチップ配置補助具。
（１）前記取付補助部材の一方側が取り付けられる平坦部
（２）前記取付補助部材の一方側が取り付けられる突起部又は凹部
（３）前記取付補助部材の一方側が挿入又は螺入される孔
（４）前記取付補助部材の一方側に形成されている係合部が係合される被係合部
【請求項８】
前記係合部と被係合部とは、前記ネイル本体の前記ネイルチップ展示具への配置角度を調節可能に係合される
請求項７記載のネイルチップ配置補助具。
【請求項９】
以下の構成を備えるネイル本体のネイルチップ展示具への配置を補助するネイルチップ配置補助具。
（１）取付補助体
（２）前記取付補助体に取り付けられる取付補助部材
【請求項１０】
前記取付補助体の複数と、又は、前記取付補助体と前記取付補助部材とに接続している接続部を備える
請求項９記載のネイルチップ配置補助具。
【請求項１１】
前記接続部は塑性変形可能な部材からなる
請求項１０記載のネイルチップ配置補助具。
【請求項１２】
前記取付補助部材は前記取付補助体に着脱可能に取り付けられる
請求項９記載のネイルチップ配置補助具。
【請求項１３】
前記取付補助部材は前記接続部に着脱可能に取り付けられる
請求項１０又は１１記載のネイルチップ配置補助具。
【請求項１４】
前記取付補助体は、棒状体、板状体、柱状体、筒状体、球状体、錐体から選択される一又は複数の形状を有する
請求項６乃至１３の何れか一項に記載のネイルチップ配置補助具。
【請求項１５】
前記取付補助体は塑性変形可能な部材からなる
請求項１４記載のネイルチップ配置補助具。
【請求項１６】
前記取付補助体は、前記ネイル本体の凹状に湾曲している面に対応する凸状に湾曲している面を有する
請求項１４又は１５記載のネイルチップ配置補助具。
【請求項１７】
前記取付補助部材は、針状体、棒状体、板状体、柱状体、筒状体、球状体、錐体、粘着部材、磁石、吸着部材、面ファスナーのフック部又はループ部から選択される一又は複数の部材を備える
請求項乃至９乃至１６の何れか一項に記載のネイルチップ配置補助具。
【請求項１８】
前記針状体、棒状体、板状体、柱状体、筒状体、球状体、錐体は塑性変形可能な部材からなる
請求項１７記載のネイルチップ配置補助具。
【請求項１９】
以下の構成を備える展示用ネイルチップ。
（１）ネイル本体
（２）前記ネイル本体のネイルチップ展示具への配置を補助するネイルチップ配置補助具
（３）前記ネイルチップ配置補助具は、以下の何れかと一体成形されている。
（ａ）前記ネイル本体の厚み部
（ｂ）前記ネイル本体の周縁の厚み部
（ｃ）前記ネイル本体の凹状に湾曲している面
（ｄ）前記ネイル本体の凹状に湾曲している面に形成されている土台部
（ｅ）前記ネイル本体の凸状に湾曲している面
（４）前記ネイル本体は以下のようにして前記ネイルチップ展示具へ配置される。
（ａ）前記ネイルチップ配置補助具の他方側を前記ネイルチップ展示具に取り付けて又は接触させて、前記ネイル本体を前記ネイルチップ展示具に近接させる。
（ｂ）前記ネイルチップ配置補助具の他方側を前記ネイルチップ展示具に取り付けて又は接触させて、前記ネイル本体の先端部、後端部又は側端部の何れかを前記ネイルチップ展示具に接触させる。
【請求項２０】
以下の構成を備える展示用ネイルチップ。
（１）ネイル本体
（２）前記ネイル本体のネイルチップ展示具への配置を補助するネイルチップ配置補助具
（３）前記ネイルチップ配置補助具の一方側を取り付ける取付部
（４）前記取付部は、以下の何れかに形成されている。
（ａ）前記ネイル本体の厚み部
（ｂ）前記ネイル本体の周縁の厚み部
（ｃ）前記ネイル本体の凹状に湾曲している面
（ｄ）前記ネイル本体の凹状に湾曲している面に形成されている土台部
（ｅ）前記ネイル本体の凸状に湾曲している面
（５）前記ネイル本体は以下のようにして前記ネイルチップ展示具へ配置される。
（ａ）前記ネイルチップ配置補助具の他方側を前記ネイルチップ展示具に取り付けて又は接触させて、前記ネイル本体を前記ネイルチップ展示具に近接させる。
（ｂ）前記ネイルチップ配置補助具の他方側を前記ネイルチップ展示具に取り付けて又は接触させて、前記ネイル本体の先端部、後端部又は側端部の何れかを前記ネイルチップ展示具に接触させる。
【請求項２１】
前記取付部は、以下の構成の何れかを備える請求項２０記載の展示用ネイルチップ。
（１）前記ネイルチップ配置補助具の一方側が取り付けられる平坦部
（２）前記ネイルチップ配置補助具の一方側が取り付けられる突起部又は凹部
（３）前記ネイルチップ配置補助具の一方側が挿入又は螺入される孔
（４）前記ネイルチップ配置補助具の一方側に形成されている係合部が係合される被係合部
【請求項２２】
前記土台部は塑性変形可能な部材からなる
請求項２０又は２１記載の展示用ネイルチップ。
【請求項２３】
前記突起部は塑性変形可能な部材からなる
請求項２１記載の展示用ネイルチップ。
【請求項２４】
前記係合部と被係合部とは、前記ネイル本体の前記ネイルチップ展示具への配置角度を調節可能に係合される
請求項２１記載の展示用ネイルチップ。
【請求項２５】
前記ネイルチップ配置補助具は、針状体、棒状体、板状体、柱状体、筒状体、球状体、錐体から選択される一又は複数の形状を有する
請求項１９乃至２４の何れか一項に記載の展示用ネイルチップ。
【請求項２６】
前記ネイルチップ配置補助具は塑性変形可能な部材からなる
請求項２５記載の展示用ネイルチップ。
【請求項２７】
前記ネイルチップ配置補助具は、以下の構成を備える請求項２０又は２１記載の展示用ネイルチップ。
（１）取付補助体
（２）前記取付補助体に取り付けられる取付補助部材。
【請求項２８】
前記取付補助体の複数と、又は、前記取付補助体と前記取付補助部材とに接続している接続部を備える
請求項２７記載の展示用ネイルチップ。
【請求項２９】
前記接続部は塑性変形可能な部材からなる
請求項２８記載の展示用ネイルチップ。
【請求項３０】
前記ネイルチップ配置補助具の一方側は前記取付部に着脱可能に取り付けられる
請求項２０乃至２７の何れか一項に記載の展示用ネイルチップ。
【請求項３１】
前記取付補助部材は前記取付補助体に着脱可能に取り付けられる
請求項２７記載の展示用ネイルチップ。
【請求項３２】
前記取付補助部材は前記接続部に着脱可能に接続される
請求項２８又は２９記載の展示用ネイルチップ。
【請求項３３】
前記取付補助体は、棒状体、板状体、柱状体、筒状体、球状体、錐体から選択される一又は複数の形状を有する
請求項２７乃至３２の何れか一項に記載の展示用ネイルチップ。
【請求項３４】
前記取付補助体は塑性変形可能な部材からなる
請求項３３記載の展示用ネイルチップ。
【請求項３５】
前記取付補助体は、前記ネイル本体の凹状に湾曲している面に対応する凸状に湾曲している面を有する
請求項３３又は３４記載の展示用ネイルチップ。
【請求項３６】
前記取付補助部材は、針状体、棒状体、板状体、柱状体、筒状体、球状体、錐体、粘着部材、磁石、吸着部材、面ファスナーのフック部又はループ部から選択される一又は複数の部材を備える
請求項２７乃至３５の何れか一項に記載の展示用ネイルチップ。
【請求項３７】
前記針状体、棒状体、板状体、柱状体、筒状体、球状体、錐体は塑性変形可能な部材からなる
請求項３６記載の展示用ネイルチップ。
【発明の詳細な説明】
【技術分野】
【０００１】
この発明は、顧客に提供するネイルアートに係るネイルチップの見本に関する。
【背景技術】
【０００２】
手や足の爪にデザインを施すネイルアートの提供が近年増加している。ネイルアートの専門職であるネイリストは様々なデザインが施されたネイルチップを顧客に提示し、顧客はその中から好みのデザインを選択してネイルアートの提供を受ける。【０００３】
ネイルチップはもともと、人間の爪を模したチップにデザインを施し、デザインが施されたチップを指先に装着するいわゆる「付け爪」として誕生したものである。今でも多くのネイリストにとってネイルチップは「付け爪」の材料という認識が強い。【０００４】
ネイルアートの利用が普及し、ネイルサロンが増加するのに伴い、実際のネイルアートの提供におけるネイルチップは、本来の目的である「付け爪」としての利用より、デザインを顧客に見せる見本としての用途やネイルサロン内での展示の用途として利用されることが多くなっている。【０００５】
ネイリストの多くは、ネイルアートを顧客に提供する際、図２５（ａ）図示のような従来のネイルチップ２６にデザインを施し、当該ネイルチップを樹脂製のハードケースやフレーム、ボード、台座、等に配置したネイルチップ見本セットをデザインの見本や展示用として使用している。【０００６】
従来のネイルチップ見本セットは、例えばコルクボード、樹脂製の台座、ハードケース、フレーム、等のネイルチップ展示具に、図２５（ａ）図示のネイルチップ２６が整列配置されてなる。種々のデザインが施されたネイルチップ２６は、凹状に湾曲している裏面２６ａや周縁２６ｂに両面テープ等の粘着テープを貼付してネイルチップ展示具２５に配置される。【０００７】
ネイルチップ展示具２５を樹脂製のハードケースとした場合、ネイルチップ見本セットは、ハードケース内にスポンジや綿材を敷き詰め、当該スポンジや綿材に両面テープを貼付したネイルチップ２６を多数配置し、透明な蓋材で閉蓋してなる。デザインが施された多数のネイルチップ２６を顧客に一度に提示する必要があるため、従来のネイルチップ見本セットには多数のネイルチップ２６が相互に隙間なく配置されている。
【先行技術文献】
【特許文献】
【０００８】
【特許文献１】実用新案登録第３１８９５４４号公報
【特許文献２】特開２００４−３４４５９５号公報
【発明の概要】
【発明が解決しようとする課題】
【０００９】
従来のネイルチップ見本セットでは、ハードケース内に敷き詰められたスポンジや綿材に両面テープを貼付したネイルチップ２６を配置しているだけなので、わずかな衝撃で簡単に剥がれやすく、ネイルチップ２６の配列が図２５（ｂ）図示のようにくずれてしまうことが多い。このような状態となったネイルチップ見本セット２４は顧客に提示する上で見栄えが悪い。【００１０】
また、ネイルチップ２６の配列が整っている状態において、ネイルチップ２６を交換する作業を行う際に、ハードケース内に敷き詰められたスポンジや綿材から展示用ネイルチップを取り外す振動等によって、配列が整っている他のネイルチップ２６までもがスポンジや綿材から剥がれ、その配列がくずれてしまうこともある。【００１１】
さらに、ネイルアート提供用のネイルチップを顧客の爪に装着、又は顧客の爪から取り外す際、当該ネイルチップや顧客の爪をヤスリで削る等の作業による粉塵が、ネイルチップ展示具２５の前記両面テープを貼付した面に付着することがある。このようなネイルチップ見本セットも顧客に展示する上で見栄えが悪い。【００１２】
このように、従来のネイルチップ２６は展示用のサンプルとして開発されていないため、従来のネイルチップ見本セットは、顧客への提示やネイルサロン内での展示に適しているとは言い難い。【００１３】
しかし、従来のネイルチップ２６は人間の爪の形状を基に製造されているため、ネイルチップ展示具に配置する方法は限られ、ネイリストは上述した方法で製作した従来のネイルチップ見本セット２４を使用せざるを得なかった。【００１４】
そこで、この発明は、顧客に提供するネイルアートに係るネイルチップの見本をハードケースやフレーム、ボード、台座、等に配置して、顧客に提示又は店舗内で展示するのに適した展示用ネイルチップを提供することを目的とする。【００１５】
また、このような展示用ネイルチップを構成するネイルチップ及びネイルチップ配置補助具を提供することを目的とする。
【課題を解決するための手段】
【００１６】
請求項１の発明は、以下の構成を備えるネイルチップである。  
（１）ネイル本体
（２）前記ネイル本体のネイルチップ展示具への配置を補助するネイルチップ配置補助具を取り付ける取付部。  
（３）前記取付部は、以下の何れかに形成されている。  
（ａ）前記ネイル本体の厚み部
（ｂ）前記ネイル本体の周縁の厚み部
（ｃ）前記ネイル本体の凹状に湾曲している面
（ｄ）前記ネイル本体の凹状に湾曲している面に形成されている土台部
（ｅ）前記ネイル本体の凸状に湾曲している面【００１７】
請求項６の発明は、以下の構成を備えるネイル本体のネイルチップ展示具への配置を補助するネイルチップ配置補助具である。  
（１）取付補助体
（２）前記取付補助体の一方側は以下の何れかに取り付けられる。  
（ａ）前記ネイル本体の厚み部
（ｂ）前記ネイル本体の周縁の厚み部
（ｃ）前記ネイル本体の凹状に湾曲している面
（ｄ）前記ネイル本体の凹状に湾曲している面に形成されている土台部
（ｅ）前記ネイル本体の凸状に湾曲している面
（３）前記取付補助体の他方側には、針状体、棒状体、板状体、柱状体、筒状体、球状体、錐体、粘着部材、磁石、吸着部材、面ファスナーのフック部又はループ部から選択される一又は複数の部材を備える取付補助部材が取り付けられる取付部が形成されている。【００１８】
請求項９の発明は、以下の構成を備えるネイル本体のネイルチップ展示具への配置を補助するネイルチップ配置補助具である。  
（１）取付補助体
（２）前記取付補助体に取り付けられる取付補助部材【００１９】
請求項１９の発明は、以下の構成を備える展示用ネイルチップである。  
（１）ネイル本体
（２）前記ネイル本体のネイルチップ展示具への配置を補助するネイルチップ配置補助具
（３）前記ネイルチップ配置補助具は、以下の何れかと一体成形されている。  
（ａ）前記ネイル本体の厚み部
（ｂ）前記ネイル本体の周縁の厚み部
（ｃ）前記ネイル本体の凹状に湾曲している面
（ｄ）前記ネイル本体の凹状に湾曲している面に形成されている土台部
（ｅ）前記ネイル本体の凸状に湾曲している面
（４）前記ネイル本体は以下のようにして前記ネイルチップ展示具へ配置される。  
（ａ）前記ネイルチップ配置補助具の他方側を前記ネイルチップ展示具に取り付けて又は接触させて、前記ネイル本体を前記ネイルチップ展示具に近接させる。  
（ｂ）前記ネイルチップ配置補助具の他方側を前記ネイルチップ展示具に取り付けて又は接触させて、前記ネイル本体の先端部、後端部又は側端部の何れかを前記ネイルチップ展示具に接触させる。【００２０】
請求項２０の発明は、以下の構成を備える展示用ネイルチップである。  
（１）ネイル本体
（２）前記ネイル本体のネイルチップ展示具への配置を補助するネイルチップ配置補助具
（３）前記ネイルチップ配置補助具の一方側を取り付ける取付部
（４）前記取付部は、以下の何れかに形成されている。  
（ａ）前記ネイル本体の厚み部
（ｂ）前記ネイル本体の周縁の厚み部
（ｃ）前記ネイル本体の凹状に湾曲している面
（ｄ）前記ネイル本体の凹状に湾曲している面に形成されている土台部
（ｅ）前記ネイル本体の凸状に湾曲している面
（５）前記ネイル本体は以下のようにして前記ネイルチップ展示具へ配置される。  
（ａ）前記ネイルチップ配置補助具の他方側を前記ネイルチップ展示具に取り付けて又は接触させて、前記ネイル本体を前記ネイルチップ展示具に近接させる。  
（ｂ）前記ネイルチップ配置補助具の他方側を前記ネイルチップ展示具に取り付けて又は接触させて、前記ネイル本体の先端部、後端部又は側端部の何れかを前記ネイルチップ展示具に接触させる。
【発明の効果】
【００２１】
この発明によれば、顧客に提供するネイルアートに係るネイルチップの見本をハードケースやフレーム、ボード、台座、等に配置して、顧客に提示又は店舗内で展示するのに適した展示用ネイルチップを提供することができる。【００２２】
また、このような展示用ネイルチップを構成するネイルチップ及びネイルチップ配置補助具を提供することを目的とする。
【図面の簡単な説明】
【００２３】
【図１】本発明のネイルチップに係るネイル本体の一例を表す図であり、（ａ）正面図、（ｂ）背面図、（ｃ）側面図、（ｄ）底面図である。
【図２】（ａ）〜（ｄ）は本発明に係るネイルチップの一例を表す図であり、左からそれぞれ背面図、側面図、底面図を表す。
【図３】（ａ）〜（ｄ）は本発明に係るネイルチップの他の例を表す図であり、左からそれぞれ背面図、側面図、底面図を表す。
【図４】（ａ）〜（ｄ）は図２図示のネイルチップに取付部が形成された状態の一例を表す図であり、左からそれぞれ背面図、側面図、底面図を表す。
【図５】（ａ）〜（ｄ）は図３図示のネイルチップに取付部が形成された状態の他の例を表す図であり、左からそれぞれ背面図、側面図、底面図を表す。
【図６】（ａ）〜（ｃ）は本発明に係るネイルチップが備える取付部の他の例を表す図であり、左からそれぞれ側面図、底面図を表す。
【図７】（ａ）〜（ｃ）は本発明に係るネイルチップが備える取付部の更に他の例を表す図であり、左からそれぞれ側面図、底面図を表す。
【図８】（ａ）〜（ｃ）は本発明に係るネイルチップが備える取付部の更に他の例を表す図であり、左からそれぞれ側面図、底面図を表す。
【図９】（ａ）〜（ｊ）は本発明に係る取付補助部材の種々の例を表す図であり、左からそれぞれ左側面図、正面図、右側面図、平面図を表す。
【図１０】（ａ）〜（ｃ）は本発明に係るネイルチップ配置補助具の一例を表す図である。
【図１１】（ａ）〜（ｇ）は本発明に係るネイルチップ配置補助具の他の例を表す図である。
【図１２】（ａ）〜（ｇ）は本発明に係るネイルチップ配置補助具の更に他の例を表す図である。
【図１３】本発明に係る展示用ネイルチップの第一の実施形態を表す図であり、（ａ）〜（ｄ）は展示用ネイルチップの一例で、左からそれぞれ背面図、側面図、底面図を表す。
【図１４】（ａ）〜（ｄ）は第一の実施形態に係る展示用ネイルチップの更に他の例を表す図であり、左からそれぞれ背面図、側面図、底面図を表す。
【図１５】（ａ）〜（ｄ）は第一の実施形態に係る展示用ネイルチップの更に他の例を表す図であり、左からそれぞれ背面図、側面図、底面図を表す。
【図１６】（ａ）〜（ｄ）は第一の実施形態に係る展示用ネイルチップの更に他の例を表す図であり、左からそれぞれ背面図、側面図、底面図を表す。
【図１７】第一の実施形態に係る展示用ネイルチップの更に他の例を表す図であり、左からそれぞれ背面図、側面図、底面図を表す。
【図１８】（ａ）〜（ｄ）は第一の実施形態に係る展示用ネイルチップの更に他の例を表す図であり、左からそれぞれ背面図、側面図、底面図を表す。
【図１９】（ａ）、（ｂ）は第一の実施形態に係る展示用ネイルチップの更に他の例を表す図であり、左からそれぞれ背面図、側面図、底面図を表す。
【図２０】（ａ）〜（ｄ）は第一の実施形態に係る展示用ネイルチップの使用状態の一例を表す図である。
【図２１】本発明に係る展示用ネイルチップの第二の実施形態を表す図であり、（ａ）〜（ｃ）は展示用ネイルチップの一例である。（ａ）、（ｂ）について左からそれぞれ側面図、平面図、底面図を表す。（ｃ）について左から側面図、底面図、背面図を表す。
【図２２】（ａ）〜（ｄ）は第二の実施形態に係る展示用ネイルチップの使用状態の一例を表す図である。
【図２３】（ａ）〜（ｄ）は、本発明に係る展示用ネイルチップの第三の実施形態を表す図であり、（ａ）、（ｃ）は背面図、（ｂ）、（ｄ）は正面図である。（ｅ）はネイル本体のネイルチップ展示具への取付角度を調節する状態を説明する図である。
【図２４】（ａ）〜（ｅ）は第三の実施形態に係る展示用ネイルチップの使用状態の一例を表す図である。
【図２５】（ａ）は従来のネイルチップの正面図である。（ｂ）従来のネイルチップ見本セットを表す図である。
【発明を実施するための形態】
【００２４】
以下、添付図面を参照して本発明の実施形態を説明する。まず、各実施形態に共通するネイル本体の構成を図１を参照して説明する。
【００２５】
図示のネイル本体１は樹脂製の透明なチップで、表面である凸状に湾曲している面１ａに様々なデザインが施される。図示の例では、ネイル本体１の表面は任意のデザインを施した装飾面１ｃと、デザインを施していない透明な非装飾面１ｄとに分かれている。
【００２６】
ネイル本体１に係るネイルアート提供用のネイルチップを顧客の爪に装着する際、ネイル本体１の基端部１ｅ側（後端側）に相当する前記ネイルアート提供用のネイルチップの部分が前記爪への装着部分となり、先端部１ｆ側に相当する前記ネイルアート提供用のネイルチップの部分が指先側の部分となる。
【００２７】
ネイル本体１の凹状に湾曲している面１ｂはネイル本体１の裏面である。また、ネイル本体１の周縁１ｇの所定の厚さを有する部分を周縁の厚み部１ｈとする。さらに、ネイル本体の左右の縁部を側端部１ｉとする。
【００２８】
以下、本発明の実施形態において、上述のネイル本体１の構成と共通する構成には同じ符号を付し、その説明を省略する。
【００２９】
［ネイルチップの実施形態］
以下、図２乃至図９を参照して本発明に係るネイルチップの実施形態を説明する。
【００３０】
本実施形態のネイルチップは、ネイル本体１と、ネイル本体１をハードケースやフレーム、ボード、台座、等のネイルチップ展示具に配置するためのネイルチップ配置補助具を取り付ける取付部とを備えている。
【００３１】
本実施形態のネイルチップの形状は、図２、図３図示のような種々の形状を例示できる。
【００３２】
図２（ａ）図示のネイルチップ２では、ネイル本体１の厚さが増加している部分である厚み部３がネイル本体の周縁１ｇと面一に形成されている。
【００３３】
図２（ｂ）図示のネイルチップ２では、厚み部３がネイル本体の周縁１ｇを結ぶ面を越えるように形成されている。
【００３４】
図２（ｃ）、（ｄ）図示のネイルチップ２では、それぞれ厚み部３がネイル本体の基端部１ｅ側と先端部１ｆ側とで厚みが異なるように形成されている。
【００３５】
図３（ａ）〜（ｃ）図示のネイルチップ２では、それぞれ凹状に湾曲している面１ｂに土台部４が形成されている。土台部４の形状は、凹状に湾曲している面１ｂから所定の長さを有するように突出していればよく、図示の例の他に棒状、円筒状、等の形状としてもよい。
【００３６】
図３（ｄ）図示のネイルチップ２では、周縁の厚み部１ｈの厚さが増加している。
【００３７】
本実施形態に係る前記取付部は、図４〜図８図示のように以下の何れかに形成される。  
（１）ネイル本体１の厚み部３
（２）ネイル本体１の周縁の厚み部１ｈ
（３）ネイル本体１の凹状に湾曲している面１ｂ
（４）ネイル本体１の凹状に湾曲している面１ｂに形成されている土台部４
（５）ネイル本体１の凸状に湾曲している面１ａ
【００３８】
また、本実施形態に係る前記取付部は、図４〜図８図示のように以下の構成の何れかを備える。  
（１）ネイルチップ配置補助具の一方側が取り付けられる平坦部５
（２）ネイルチップ配置補助具の一方側が取り付けられる突起部８又は凹部７
（３）ネイルチップ配置補助具の一方側が挿入又は螺入される孔６
（４）ネイルチップ配置補助具の一方側に形成されている係合部が係合される被係合部
【００３９】
図４（ａ）〜（ｄ）図示のネイルチップ２では、それぞれ図２（ａ）〜（ｄ）図示のネイル本体１の厚み部３に平坦部５、孔６、凹部７が形成されている。
【００４０】
図５（ａ）〜（ｃ）図示のネイルチップ２では、それぞれ図３（ａ）〜（ｃ）図示のネイル本体１の凹状に湾曲している面１ｂに形成されている土台部４に平坦部５、孔６、凹部７が形成されている。
【００４１】
図５（ｄ）図示のネイルチップ２では、図３（ｄ）図示のネイル本体１の周縁の厚み部１ｈに平坦部５、孔６が形成されている。
【００４２】
図６（ａ）、（ｂ）図示のネイルチップ２では、ネイル本体１の凹状に湾曲している面１ｂに形成されている土台部４に平坦部５が形成されている。
【００４３】
図６（ｃ）図示のネイルチップ２では、ネイル本体の厚み部３に形成されている土台部４に平坦部５が形成されている。
【００４４】
図７（ａ）図示のネイルチップ２では、ネイル本体１の凹状に湾曲している面１ｂに突起部８が形成されている。
【００４５】
図７（ｂ）図示のネイルチップ２では、ネイル本体１の凹状に湾曲している面に１ｂに形成されている土台部４に平坦部５、突起部８が形成されている。
【００４６】
図７（ｃ）図示のネイルチップ２では、ネイル本体１の周縁の厚み部１ｈに平坦部５、突起部８が形成されている。
【００４７】
図４、図５図示の孔６には、内周面に雌ネジ部が形成されていてもよい。また、図７図示の突起部８には、外周面に雄ネジ部が形成されていてもよい。
【００４８】
図８図示の形態はネイルチップ配置補助具の一方側に形成されている係合部が係合される被係合部を例示したものである。
【００４９】
図８（ａ）図示のネイルチップ２では、ネイル本体１の凹状に湾曲している面１ｂに形成されている土台部４に、ネイルチップ配置補助具の一方側に形成されている嵌合凸部が嵌合される嵌合凹部９が形成されている。
【００５０】
図８（ｂ）図示のネイルチップ２では、ネイル本体１の凹状に湾曲している面１ｂに、ネイルチップ配置補助具の一方側に形成されている環状の係合部が係合される係合突起１０が形成されている。
【００５１】
図８（ｃ）図示のネイルチップ２では、ネイル本体１の凹状に湾曲している面１ｂに形成されている土台部４に、ネイルチップ配置補助具の一方側に形成されている係合部が係合される係合溝１１が形成されている。
【００５２】
本実施形態のネイルチップ２が備える上述した前記取付部には、ネイル本体１をハードケースやフレーム、ボード、台座、等のネイルチップ展示具に配置するための前記ネイルチップ配置補助具が取り付けられる。
【００５３】
以下、本発明の各実施形態において、前記ネイルチップ配置補助具は、針状体、棒状体、板状体、柱状体、筒状体、球状体、錐体、粘着部材、磁石、吸盤等の吸着部材、面ファスナーのフック部又はループ部から選択される一又は複数の部材を備える取付補助部材１９を備える。
【００５４】
図９は、取付補助部材１９を例示したものであり、本実施形態のネイルチップ２が備える上述した前記取付部に適合した部材が使用される。
【００５５】
図４〜図６図示のネイルチップ２では、平坦部５、孔６、凹部７それぞれに適合した図９図示の取付補助部材１９の一方側１２が接着剤や粘着剤、等を介して取り付けられる。
【００５６】
図７図示のネイルチップ２では、突起部８に適合した図９図示以外の取付補助部材１９の一方側１２に形成された凹部又は孔が接着剤や粘着剤、等を介して取り付けられる。また、図７（ａ）、（ｃ）図示の突起部８の外周に雄ネジ部が形成されている場合、当該雄ネジ部は取付補助部材１９の一方側１２に形成された雌ネジ部に螺入される。
【００５７】
図８（ａ）図示のネイルチップ２では、嵌合凹部９に適合する図９（ｅ）、（ｉ）図示のような取付補助部材１９の一方側１２である球状体が圧入される。
【００５８】
図８（ｂ）図示のネイルチップ２では、係合突起１０に適合する図９図示以外の取付補助部材１９の一方側１２に形成された環状の係合部が係合される。
【００５９】
図８（ｃ）図示のネイルチップ２では、係合溝１１に適合する図９（ｆ）〜（ｈ）図示のような取付補助部材１９の一方側１２である板状体が係合される。
【００６０】
本実施形態のネイルチップにおいて、図５（ｃ）、図６（ｂ）、（ｃ）図示の土台部４や、図７（ａ）、（ｃ）図示の突起部８を周知の塑性変形可能な部材で成形してもよい。塑性変形可能な部材で成形することで、ネイル本体１の前記ネイルチップ展示具への配置角度を調節して、ネイル本体１を様々な角度で前記ネイルチップ展示具へ配置することができる。
【００６１】
また、図８（ａ）図示の嵌合凹部９に図９（ｅ）、（ｉ）図示のような取付補助部材１９の一方側１２である球状体を遊嵌することで、ネイル本体１の前記ネイルチップ展示具への配置角度を調節して、ネイル本体１を様々な角度で前記ネイルチップ展示具へ配置することができる。
【００６２】
［ネイルチップ配置補助具の実施形態］
＜第一の実施形態＞
図１０を参照して、本発明に係るネイルチップ配置補助具の第一の実施形態を説明する。
【００６３】
本実施形態のネイルチップ配置補助具１４ａは、所定の形状を有する取付補助体１５を備えている。
【００６４】
ネイルチップ配置補助具の各実施形態（第一、第二の実施形態）において、取付補助体１５は、例えば、棒状体、板状体、柱状体、筒状体、球状体、錐体、等から選択される一又は複数の形状で構成することができる。また、取付補助体１５は、ネイル本体１の凹状に湾曲している面１ｂに対応する凸状に湾曲している面を有していてもよい。図１０図示の例では、取付補助体１５は直方体形状でその一方側１６がネイル本体１の凹状に湾曲している面１ｂに対応するように凸状に湾曲している。
【００６５】
本実施形態に係る取付補助体１５の一方側１６は以下の何れかに取り付けられる。  
（１）ネイル本体１の厚み部３
（２）ネイル本体１の周縁の厚み部１ｈ
（３）ネイル本体１の凹状に湾曲している面１ｂ
（４）ネイル本体１の凹状に湾曲している面１ｂに形成されている土台部４
（５）ネイル本体１の凸状に湾曲している面１ａ
【００６６】
図１０図示の例では、取付補助体１５の一方側１６はネイル本体１の凹状に湾曲している面１ｂに取り付けられている。
【００６７】
本実施形態に係る取付補助体１５の他方側１７には、上述した針状体、棒状体、板状体、柱状体、筒状体、球状体、錐体、粘着部材、磁石、吸盤等の吸着部材、面ファスナーのフック部又はループ部から選択される一又は複数の部材を備える取付補助部材１９が取り付けられる取付部が形成されている。
【００６８】
また、本実施形態に係る前記取付部は、以下の構成の何れかを備える。  
（１）ネイルチップ配置補助具の一方側が取り付けられる平坦部５
（２）ネイルチップ配置補助具の一方側が取り付けられる突起部８又は凹部７
（３）ネイルチップ配置補助具の一方側が挿入又は螺入される孔６
（４）ネイルチップ配置補助具の一方側に形成されている係合部が係合される被係合部
【００６９】
図１０（ａ）図示の取付補助体１５では、他方側１７に平坦部５が形成されている。
【００７０】
図１０（ｂ）図示の取付補助体１５では、他方側１７に平坦部５と孔６が形成されている。
【００７１】
図１０（ｃ）図示の取付補助体１５では、他方側１７に平坦部５と突起部８が形成されている。
【００７２】
図１０（ｂ）図示の孔６には、内周面に雌ネジ部が形成されていてもよい。また、図１０（ｃ）図示の突起部８には、外周面に雄ネジ部が形成されていてもよい。
【００７３】
本実施形態に係る取付補助体１５が備える前記取付部には、図９に例示したものを含む種々の取付補助部材１９が取り付けられる。
【００７４】
図１０（ａ）、（ｂ）図示の取付補助体１５では、平坦部５、孔６それぞれに適合する図９図示の取付補助部材１９の一方側１２が接着剤や粘着剤、等を介して取り付けられる。また、図１０（ｂ）図示の孔６の内周に雌ネジ部が形成されている場合、取付補助部材１９の一方側１２に形成された雄ネジ部が前記雌ネジ部に螺入される。
【００７５】
図１０（ｃ）図示の取付補助体１５では、突起部８に適合する図９図示以外の取付補助部材１９の一方側１２に形成された凹部又は孔が接着剤や粘着剤、等を介して取り付けられる。また、図１０（ｃ）図示の突起部８の外周に雄ネジ部が形成されている場合、取付補助部材１９の一方側１２に形成された雌ネジ部に前記雄ネジ部が螺入される。
【００７６】
図１０図示の取付補助体１５の他方側１７に図８（ａ）図示のような嵌合凹部９が形成されている場合、当該嵌合凹部９に図９（ｅ）、（ｉ）図示のような取付補助部材１９の一方側１２である球状体を遊嵌することで、ネイル本体１の前記ネイルチップ展示具への配置角度を調節して、ネイル本体１を様々な角度で前記ネイルチップ展示具へ配置することができる。
【００７７】
ネイルチップ配置補助具の各実施形態（第一、第二の実施形態）において、図１０図示のように、取付補助体１５の一方側１６を、ネイル本体１の凹状に湾曲している面１ｂに対応した凸状に湾曲した面１８とすることにより、取付補助体１５をネイル本体１の凹状に湾曲している面１ｂの任意の箇所に確実に取り付けることができるとともに、ネイル本体１の前記ネイルチップ展示具への配置角度を調節して、ネイル本体１を様々な角度で前記ネイルチップ展示具へ配置することができる。
【００７８】
ネイルチップ配置補助具の各実施形態（第一、第二の実施形態）において、取付補助体１５を周知の塑性変形可能な部材で成形してもよい。塑性変形可能な部材で成形することで、ネイル本体１の前記ネイルチップ展示具への配置角度を調節して、ネイル本体１を様々な角度で前記ネイルチップ展示具へ配置することができる。
【００７９】
＜第二の実施形態＞
図１１、図１２を参照して、本発明に係るネイルチップ配置補助具の第二の実施形態を説明する。なお、第一の実施形態と共通する構成については同じ符号を付し、その説明を省略する。
【００８０】
本実施形態のネイルチップ配置補助具１４ｂは、取付補助体１５と、取付補助体１５に取り付けられる図９に例示したものを含む種々の取付補助部材１９を備える。
【００８１】
取付補助部材１９の取付補助体１５への取付け方法は、取付補助体１５が備える上述した第一の実施形態で説明した前記取付部に取り付ける方法、その他、取付補助部材１９と取付補助体１５とを一体成形する方法、等種々の方法を採用することができる。
【００８２】
本実施形態のネイルチップ配置補助具１４ｂは、複数の取付補助体１５と、又は取付補助体１５と取付補助部材１９とに接続している接続部２０を備えてもよい。
【００８３】
図１１（ａ）〜（ｃ）図示のネイルチップ配置補助具１４ｂでは、図９（ａ）図示の針状体からなる取付補助部材１９の一方側１２が取付補助体１５の他方側１７に取り付けられている。
【００８４】
図１１（ｄ）〜（ｇ）図示のネイルチップ配置補助具１４ｂでは、取付補助体１５と図９（ａ）図示の針状体からなる取付補助部材１９とが接続部２０に接続されている。
【００８５】
図１２図示のネイルチップ配置補助具１４ｂでは、二つの取付補助体１５が接続部２０に接続されている。
【００８６】
なお、取付補助部材１９を取付補助体１５又は接続部２０に着脱可能に取り付ける構成にすることができる。
【００８７】
本実施形態において、図１１（ｄ）〜（ｇ）、図１２図示の接続部２０を周知の塑性変形可能な部材で成形してもよい。塑性変形可能な部材で成形することで、図１２（ｂ）、（ｃ）図示のようにネイル本体１の前記ネイルチップ展示具への配置角度を調節して、ネイル本体１を様々な角度で前記ネイルチップ展示具へ配置することができる。
【００８８】
また、取付補助部材１９のうち、前記針状体、棒状体、板状体、柱状体、筒状体、球状体、錐体を周知の塑性変形可能な部材で成形してもよい。塑性変形可能な部材で成形することで、図１１（ｃ）図示のようにネイル本体１の前記ネイルチップ展示具への配置角度を調節して、ネイル本体１を様々な角度で前記ネイルチップ展示具へ配置することができる。
【００８９】
［展示用ネイルチップの実施形態］
＜第一の実施形態＞
図１３〜図２０を参照して、本発明に係る展示用ネイルチップの第一の実施形態を説明する。本実施形態の展示用ネイルチップは、上述したネイルチップの実施形態に対応したものである。前記ネイルチップの構成と共通する構成については同じ符号を付し、その説明を省略する。
【００９０】
本実施形態の展示用ネイルチップ２１ａは、ネイル本体１と、ネイル本体１をハードケースやフレーム、ボード、台座、等のネイルチップ展示具に配置するためのネイルチップ配置補助具と、当該ネイルチップ配置補助具を取り付ける取付部とを備えている。
【００９１】
本実施形態に係る前記取付部は、図１３〜図１９図示のように以下の何れかに形成される。  
（１）ネイル本体１の厚み部３
（２）ネイル本体１の周縁の厚み部１ｈ
（３）ネイル本体１の凹状に湾曲している面１ｂ
（４）ネイル本体１の凹状に湾曲している面１ｂに形成されている土台部４
（５）ネイル本体の凸状に湾曲している面１ａ
【００９２】
また、本実施形態に係る前記取付部は、図１３〜図１９図示のように以下の構成の何れかを備える。  
（１）ネイルチップ配置補助具の一方側が取り付けられる平坦部５
（２）ネイルチップ配置補助具の一方側が取り付けられる突起部８又は凹部７
（３）ネイルチップ配置補助具の一方側が挿入又は螺入される孔６
（４）ネイルチップ配置補助具の一方側に形成されている係合部が係合される被係合部
【００９３】
図１３（ａ）図示の展示用ネイルチップ２１ａでは、ネイル本体１の厚み部３に平坦部５が形成されている。平坦部５に割ピン、虫ピン、等図９（ａ）図示の針状体からなる取付補助部材１９が五つ取り付けられている。
【００９４】
図１３（ｂ）図示の展示用ネイルチップ２１ａでは、ネイル本体１の厚み部３に平坦部５及び二つの突起部８が形成されている。取付補助部材１９は図９（ｆ）図示の板状体の基部に図９（ａ）図示の針状体の部材が五つ立設してなり、前記板状体の基部には、突起部８に対応する孔が二つ形成されている。前記孔に突起部８を嵌合させて取付補助部材１９がネイル本体１に取り付けられている。
【００９５】
図１３（ｃ）図示の展示用ネイルチップ２１ａでは、ネイル本体１の厚み部３に凹部７が形成されている。取付補助部材１９は図９（ｆ）図示の板状体の基部に図９（ａ）図示の針状体の部材が五つ立設してなる。凹部７に前記板状体を嵌合させて取付補助体１９がネイル本体１に取り付けられている。
【００９６】
図１３（ｄ）図示の展示用ネイルチップ２１ａでは、図１３（ｃ）図示の凹部７に粘着部材を介して前記板状体を嵌合させて取付補助部材１９がネイル本体１に取り付けられている。前記粘着部材を介しているので、取付補助部材１９を凹部７に着脱可能に取り付けることができる。
【００９７】
図１４（ａ）図示の展示用ネイルチップ２１ａでは、ネイル本体１の周縁の厚み部１ｈに平坦部５が形成されている。平坦部５に、円形の板状体に図９（ａ）図示の針状体の部材が立設してなる取付補助部材１９が取り付けられている。
【００９８】
図１４（ｂ）図示の展示用ネイルチップ２１ａでは、ネイル本体１の周縁の厚み部１ｈに突起部８が形成されている。取付補助部材１９は円筒形状の基部に図９（ａ）図示の針状体の部材が立設してなり、前記円筒形状の基部には、突起部８に対応する孔が形成されている。前記孔に突起部８を嵌合させて取付補助部材１９がネイル本体１に取り付けられている。
【００９９】
図１４（ｃ）図示の展示用ネイルチップ２１ａでは、ネイル本体１の周縁の厚み部１ｈに孔６が形成されている。孔６に図９（ａ）図示の針状体の部材からなる取付補助部材１９が取り付けられている。
【０１００】
図１４（ｄ）図示の展示用ネイルチップ２１ａでは、ネイル本体１の厚み部３に沿った挿入孔６ａが周縁の厚み部１ｈに形成されている。挿入孔６ａに図９（ａ）図示の針状体の部材からなる取付補助部材１９が挿通されている。
【０１０１】
図１５（ａ）〜（ｃ）図示の展示用ネイルチップ２１ａでは、それぞれネイル本体１の凹状に湾曲している面１ｂに図９（ａ）、（ｃ）、（ｅ）図示の取付補助部材１９が取り付けられている。
【０１０２】
図１５（ｄ）図示の展示用ネイルチップ２１ａでは、ネイル本体１の凹状に湾曲している面１ｂに当該凹状に湾曲している面１ｂに沿って折り曲げられた図９（ａ）図示の取付補助部材１９が取り付けられている。
【０１０３】
図１６（ａ）図示の展示用ネイルチップ２１ａでは、ネイル本体１の凹状に湾曲している面１ｂに土台部４が形成されている。土台部４に図９（ｄ）図示の取付補助部材１９が取り付けられている。
【０１０４】
図１６（ｂ）図示の展示用ネイルチップ２１ａでは、ネイル本体１の凹状に湾曲している面１ｂに土台部４が形成され、土台部４に突起部８が形成されている。取付補助部材１９は直方体形状の基部に図９（ａ）図示の針状体の部材が二つ立設してなり、前記直方体形状の基部には、突起部８に対応する凹部が形成されている。前記凹部に突起部８を嵌合させて取付補助部材１９がネイル本体１に取り付けられている。
【０１０５】
図１６（ｃ）図示の展示用ネイルチップ２１ａでは、ネイル本体１の凹状に湾曲している面１ｂに土台部４が形成され、土台部４に凹部７が形成されている。凹部７に図９（ｃ）図示のコ字状の針状体からなる取付補助部材１９が取り付けられている。
【０１０６】
図１６（ｄ）図示の展示用ネイルチップ２１ａでは、ネイル本体１の凹状に湾曲している面１ｂに土台部４が形成され、土台部４に嵌合凹部９が形成されている。嵌合凹部９に図９（ｅ）図示の錐体状の部材からなる取付補助部材１９が圧入されている。
【０１０７】
図１７図示の展示用ネイルチップ２１ａでは、ネイル本体１の凸状に湾曲している面１ａに図９（ｆ）図示の板状体の取付補助体１９が取り付けられている。
【０１０８】
図１８（ａ）図示の展示用ネイルチップ２１ａでは、ネイル本体１の凹状に湾曲している面１ｂに係合突起１０が形成されている。係合突起１０に環状部を有する針状体の取付補助部材１９が係合される。
【０１０９】
図１８（ｂ）図示の展示用ネイルチップ２１ａでは、ネイル本体１の凹状に湾曲している面１ｂに土台部４が形成され、土台部４に平坦部５が形成されている。取付補助部材１９は直方体形状の基部に図９（ａ）図示の針状部材が二つ立設してなる。前記直方体形状の基部には、平坦部５に対応する凹部が形成されている。平坦部５に前記凹部を嵌合させて取付補助部材１９がネイル本体１に取り付けられている。
【０１１０】
図１８（ｃ）図示の展示用ネイルチップ２１ａでは、ネイル本体１の周縁の厚み部１ｈに雄ネジ部を有する突起部８が形成されている。取付補助部材１９は円筒形状の基部に図９（ａ）図示の針状体の部材が立設してなる。前記円筒形状の基部には、突起部８の前記雄ネジ部に対応する雌ネジ部を有する孔が形成されている。前記雌ネジ部に前記雄ネジ部を螺入させて取付補助部材１９がネイル本体１に取り付けられている。
【０１１１】
図１８（ｄ）図示の展示用ネイルチップ２１ａでは、ネイル本体１の周縁の厚み部１ｈに雌ネジ部を有する孔６が形成されている。孔６の前記雌ネジ部に、一方側に雄ネジ部が形成されている針状体又は棒状体の部材からなる取付補助部材１９が螺入されている。
【０１１２】
図１９（ａ）図示の展示用ネイルチップ２１ａでは、ネイル本体１の凹状に湾曲している面１ｂに土台部４が形成され、土台部４には平坦部５が形成されている。平坦部５に粘着部材、磁石、吸盤等の吸着部材、又は面ファスナーのフック部もしくはループ部からなる取付補助部材１９が取り付けられている。
【０１１３】
図１９（ｂ）図示の展示用ネイルチップ２１ａでは、ネイル本体１の凹状に湾曲している面１ｂに土台部４が形成され、土台部４には凹部７が形成されている。凹部７に粘着部材、磁石、吸盤等の吸着部材、又は面ファスナーのフック部もしくはループ部からなる取付補助部材１９が取り付けられている。
【０１１４】
展示用ネイルチップの各実施形態（第一乃至第三の実施形態）において、前記ネイルチップ配置補助具を前記取付部に着脱可能に取り付けることができる。このようにすることで、種々の取付部を備えたネイル本体１と前記ネイルチップ配置補助具を組み合わせて、ハードケースやフレーム、ボード、台座、等のネイルチップ展示具に適合した展示用ネイルチップとすることができる。また、前記ネイルチップ配置補助具が破損した場合でも交換可能である。
【０１１５】
展示用ネイルチップの各実施形態（第一乃至第三の実施形態）において、ネイル本体１の表面は装飾面１ｃと透明な非装飾面１ｄとに分かれている。そのため、ネイル本体１の前記取付部にネイルチップ配置補助具を配備する際、前記取付部は装飾面１ｃに対応する箇所に形成されていることが好ましい。
【０１１６】
なお、ネイル本体１に施すデザインによって、ネイル本体１の表面が装飾面１ｃのみとなる場合がある。この場合、透明な非装飾面１ｄは形成されないので、ネイルチップ配置補助具を配備する前記取付部の位置を自由に選択することができる。
【０１１７】
本実施形態では、展示用ネイルチップ２１ａを成形する際に、ネイル本体１と前記ネイルチップ配置補助具とを一体成形し、又はネイル本体１の前記取付部に前記ネイルチップ配置補助具をインサート成形してネイル本体１及び前記ネイルチップ配置補助具とを備える展示用ネイルチップとすることができる。
【０１１８】
ネイル本体１と前記ネイルチップ配置補助具とを一体成形する場合、前記ネイルチップ配置補助具は、ネイル本体１の厚み部３、ネイル本体１の周縁の厚み部１ｈ、ネイル本体１の凹状に湾曲している面１ｂ、ネイル本体１の凹状に湾曲している面１ｂに形成されている土台部４、ネイル本体の凸状に湾曲している面１ａの何れかに形成される。
【０１１９】
この場合、前記ネイルチップ配置補助具は、針状体、棒状体、板状体、柱状体、筒状体、球状体、錐体から選択される一又は複数の形状を有する。
【０１２０】
また、前記ネイルチップ配置補助具を周知の塑性変形可能な部材で成形してもよい。塑性変形可能な部材で成形することで、ネイル本体１の前記ネイルチップ展示具への配置角度を調節して、ネイル本体１を様々な角度で前記ネイルチップ展示具へ配置することができる。
【０１２１】
本実施形態では、土台部４、または、突起部８、あるいは、取付補助部材１９のうち、前記針状体、棒状体、板状体、柱状体、筒状体、球状体、錐体を周知の塑性変形可能な部材で成形してもよい。塑性変形可能な部材で成形することで、ネイル本体１の前記ネイルチップ展示具への配置角度を調節して、ネイル本体１を様々な角度で前記ネイルチップ展示具へ配置することができる。
【０１２２】
本実施形態では、図１６（ｄ）図示の嵌合凹部９に図９（ｅ）、（ｉ）図示のような取付補助部材１９の一方側１２である球状体を遊嵌することでも、ネイル本体１の前記ネイルチップ展示具への配置角度を調節して、ネイル本体１を様々な角度で前記ネイルチップ展示具へ配置することができる。
【０１２３】
本実施形態では、ネイル本体１が以下のように前記ネイルチップ展示具へ配置されネイルチップ見本セットとなる。
【０１２４】
（１）前記ネイルチップ配置補助具の他方側を前記ネイルチップ展示具に取り付けて又は接触させて、ネイル本体１を前記ネイルチップ展示具に近接させる。
【０１２５】
図２０（ａ）図示の例では、取付補助部材１９の他方側１３がコルクボード２２ａに差し込まれ、ネイル本体１がコルクボード２２ａに近接して配置されたネイルチップ見本セット２３となっている。
【０１２６】
また、図２０（ｂ）図示の例では、取付補助部材１９が台座２２ｂに接触し、ネイル本体１が台座２２ｂに近接して配置されたネイルチップ見本セット２３となっている。
【０１２７】
（２）前記ネイルチップ配置補助具の他方側を前記ネイルチップ展示具に取り付けて又は接触させて、ネイル本体１の先端部１ｆ、基端部１ｅ（後端部）又は側端部１ｉの何れかを前記ネイルチップ展示具に接触させる。
【０１２８】
図２０（ｃ）図示の例では、取付補助部材１９がコルクボード２２ａに差し込まれ、ネイル本体１の側端部１ｉがコルクボード２２ａに接触して配置されたネイルチップ見本セット２３となっている。
【０１２９】
また、図２０（ｄ）図示の例では、取付補助部材１９の他方側１３を台座２２ｂに接触させて、ネイル本体１の先端部１ｆが台座２２ｂに接触して配置されたネイルチップ見本セット２３となっている。
【０１３０】
このように、本実施形態の展示用ネイルチップ２１ａは、ネイル本体１の厚み部３、周縁の厚み部１ｈ、凹状に湾曲している面１ｂ、土台部４又は凸状に湾曲している面１ａに配備された取付補助部材１９を備えるネイルチップ配置補助具をネイルチップ展示具に取り付けて展示される。
【０１３１】
そして、図２０（ａ）、（ｃ）図示のように、前記ネイルチップ配置補助具は、前記ネイルチップ展示具に確実に取り付けられている。
【０１３２】
したがって、従来のネイルチップ見本セット２４におけるネイルチップ２６の配列をくずす衝撃では、本発明に係るネイル本体１が前記ネイルチップ展示具から外れることがなく、展示用ネイルチップ２１ａの整然とした配列を維持することができる。
【０１３３】
また、前記ネイルチップ配置補助具を前記ネイルチップ展示具から取り外せるので、ネイリストは展示用ネイルチップ２１ａの配列を容易に変更することができ、ネイルサロン内の限られたスペースやネイルチップ展示具の面積を有効に使うことができる。
【０１３４】
さらに、ネイルアート提供用のネイルチップを顧客の爪に装着、又は顧客の爪から取り外す際、当該ネイルチップや顧客の爪をヤスリで削る等の作業による粉塵が、前記ネイルチップ展示具に付着しにくいので、ネイルチップ見本セット２３の清掃等のメンテナンスが容易である。
【０１３５】
この他、前記ネイルチップ配置補助具をネイル本体１の厚み部３、周縁の厚み部１ｈ、凹状に湾曲している面１ｂ、土台部４又は凸状に湾曲している面１ａに配備することで、図２０（ｂ）、（ｄ）図示のように、展示用ネイルチップ２１ａを前記ネイルチップ展示具に自立させた状態で展示することができ、また、その姿勢を維持することができる。
【０１３６】
従来のネイルチップ２６は前記ネイルチップ展示具に自立して展示させることができず、ハードケースやフレーム、ボード、台座、等に平面的に配置されるものであったため、ネイルチップ２６の展示方法は平面的なものに限られていた。
【０１３７】
本実施形態では、図２０図示のように前記ネイルチップ配置補助具が様々な角度でネイル本体１に配備されているので、上述した配置方法でネイル本体１の表面に施されたデザインを様々な角度で展示することができる。
【０１３８】
また、土台部４、または、突起部８、あるいは、取付補助部材１９のうち、前記針状体、棒状体、板状体、柱状体、筒状体、球状体、錐体を塑性変形可能な部材で形成し、これらを任意に変形することでもネイル本体１の表面に施されたデザインを様々な角度で展示することができる。
【０１３９】
さらに、図１６（ｄ）図示のように、嵌合凹部９に図９（ｅ）、（ｉ）図示のような取付補助部材１９の一方側１２である球状体を遊嵌すること等、前記係合部と前記被係合部とをネイル本体１の前記ネイルチップ展示具への配置角度を調節可能に係合することでも、ネイル本体１の表面に施されたデザインを様々な角度で展示することができる。
【０１４０】
したがって、顧客が座っている状態のままでも顧客が身を乗り出すことがなく、顧客の視角に合わせて見本用ネイルチップ１を美しく見せることができる。
【０１４１】
＜第二の実施形態＞
図２１、図２２を参照して、本発明に係る展示用ネイルチップの第二の実施形態を説明する。本実施形態の展示用ネイルチップ２１ｂは、上述したネイルチップ配置補助具の第一の実施形態のネイルチップ配置補助具１４ａに係る取付補助体１５と、取付補助体１５に取り付けられる取付補助部材１９とを備えている。ネイルチップ配置補助具１４ａの構成と共通する構成については同じ符号を付し、その説明を省略する。
【０１４２】
図２１（ａ）〜（ｃ）図示の展示用ネイルチップ２１ｂでは、ネイル本体１の凹状に湾曲している面１ｂに対応した凸状に湾曲した面１８を有する取付補助体１５を備えるネイルチップ配置補助具１４ａがネイル本体１の凹状に湾曲している面１ｂに取り付けられている。
【０１４３】
図２１（ａ）図示の展示用ネイルチップ２１ｂでは、取付補助体１５の他方側１７に平坦部５が形成されている。平坦部５に、軸部を介して板状体の部材と球状体の部材とが針状体の部材に接続されてなる取付補助部材１９が取り付けられている。
【０１４４】
図２１（ｂ）図示の展示用ネイルチップ２１ｂでは、取付補助体１５の他方側１７に孔６が形成されている。孔６に図９（ｃ）図示のコ字状の針状体からなる取付補助部材１９が挿通されている。
【０１４５】
図２１（ｃ）図示の展示用ネイルチップ２１ｂでは、取付補助体１５の他方側１７に平坦部５と突起部８が形成されている。突起部８に、中央部に中空部を貫設した環状磁石板からなる取付補助部材１９が嵌合されている。
【０１４６】
本実施形態と後述する第三の実施形態において、取付補助部材１９を取付補助体１５に着脱可能に取り付けることができる。このようにすることで、種々の取付補助部材１９と取付補助体１５とを備えたネイルチップ配置補助具１４ａと、ネイルチップ２を組み合わせて、ハードケースやフレーム、ボード、台座、等のネイルチップ展示具に適合した展示用ネイルチップとすることができる。また、前記ネイルチップ配置補助具が破損した場合でも交換可能である。
【０１４７】
本実施形態では、展示用ネイルチップ２１ｂを成形する際に、ネイル本体１と取付補助体１５と取付補助部材１９とを一体成形し、又は取付補助体１５に取付補助部材１９をインサート成形して、ネイル本体１と取付補助体１５と取付補助部材１９とを備える展示用ネイルチップ２１ｂとすることができる。
【０１４８】
本実施形態と後述する第三の実施形態において、取付補助体１５を周知の塑性変形可能な部材で成形してもよい。塑性変形可能な部材で成形することで、ネイル本体１の前記ネイルチップ展示具への配置角度を調節して、ネイル本体１を様々な角度で前記ネイルチップ展示具へ配置することができる。
【０１４９】
本実施形態と後述する第三の実施形態において、取付補助体１５は、ネイル本体１の凹状に湾曲している面１ｂに対応する凸状に湾曲している面を有していてもよい。例えば取付補助体１５の他方側１６を凸湾形状にすることにより、取付補助体１５をネイル本体１の凹状に湾曲している面１ｂの任意の箇所に確実に取り付けることができるとともに、ネイル本体１の前記ネイルチップ展示具への配置角度を調節して、ネイル本体１を様々な角度で前記ネイルチップ展示具へ配置することができる。
【０１５０】
本実施形態では、取付補助体１５の他方側１７に図８（ａ）図示のような嵌合凹部９が形成されている場合、当該嵌合凹部９に図９（ｅ）、（ｉ）図示のような取付補助部材１９の一方側１２である球状体を遊嵌することで、ネイル本体１の前記ネイルチップ展示具への配置角度を調節して、ネイル本体１を様々な角度で前記ネイルチップ展示具へ配置することができる。
【０１５１】
本実施形態では、突起部８、あるいは、取付補助部材１９のうち、前記針状体、棒状体、板状体、柱状体、筒状体、球状体、錐体を塑性変形可能な部材で形成し、これらを任意に変形することでもネイル本体１の前記ネイルチップ展示具への配置角度を調節して、ネイル本体１を様々な角度で前記ネイルチップ展示具へ配置することができる。
【０１５２】
本実施形態では、ネイル本体１が以下のように前記ネイルチップ展示具へ配置されネイルチップ見本セットとなる。
【０１５３】
（１）ネイルチップ配置補助具１４ａの他方側を前記ネイルチップ展示具に取り付けて又は接触させて、ネイル本体１を前記ネイルチップ展示具に近接させる。
【０１５４】
図２２（ａ）図示の例では、取付補助部材１９の他方側１３がコルクボード２２ａに差し込まれ、ネイル本体１がコルクボード２２ａに近接して配置されたネイルチップ見本セット２３となっている。
【０１５５】
（２）ネイルチップ配置補助具１４ａの他方側を前記ネイルチップ展示具に取り付けて又は接触させて、ネイル本体１の先端部１ｆ、基端部１ｅ（後端部）又は側端部１ｉの何れかを前記ネイルチップ展示具に接触させる。
【０１５６】
図２２（ｂ）図示の例では、取付補助部材１９がコルクボード２２ａに差し込まれ、ネイル本体１の先端部１ｆがコルクボード２２ａに接触して配置されたネイルチップ見本セット２３となっている。
【０１５７】
図２２（ｃ）図示の例では、取付補助部材１９の他方側１３を台座２２ｂに接触させて、ネイル本体１の先端部１ｆが台座２２ｂに接触して配置されたネイルチップ見本セット２３となっている。
【０１５８】
図２２（ｄ）図示の例では、環状磁石板からなる取付補助部材１９を金属製のボード２２ｃに吸着させて、ネイル本体１の側端部１ｉが金属製のボード２２ｃに接触して配置されたネイルチップ見本セット２３となっている。
【０１５９】
このように、本実施形態の展示用ネイルチップ２１ｂは、ネイル本体１の厚み部３、周縁の厚み部１ｈ、凹状に湾曲している面１ｂ、土台部４又は凸状に湾曲している面１ａに取り付けられた取付補助体１５に配備されたネイルチップ配置補助具１４ａをネイルチップ展示具に取り付けて展示される。
【０１６０】
そして、図２２（ａ）、（ｂ）、（ｄ）図示のように、ネイルチップ配置補助具１４ａは、前記ネイルチップ展示具に確実に取り付けられている。
【０１６１】
したがって、従来のネイルチップ見本セット２４におけるネイルチップの配列をくずす衝撃では、本発明に係るネイル本体１が前記ネイルチップ展示具から外れることがなく、展示用ネイルチップ２１ｂの整然とした配列を維持することができる。
【０１６２】
また、ネイルチップ配置補助具１４ａを前記ネイルチップ展示具から取り外せるので、ネイリストは展示用ネイルチップ２１ｂの配列を容易に変更することができ、ネイルサロン内の限られたスペースやネイルチップ展示具の面積を有効に使うことができる。
【０１６３】
さらに、ネイルアート提供用のネイルチップを顧客の爪に装着、又は顧客の爪から取り外す際、当該ネイルチップや顧客の爪をヤスリで削る等の作業による粉塵が、前記ネイルチップ展示具に付着しにくいので、ネイルチップ見本セット２３の清掃等のメンテナンスが容易である。
【０１６４】
この他、ネイルチップ配置補助具１４ａをネイル本体１の厚み部３、周縁の厚み部１ｈ、凹状に湾曲している面１ｂ、土台部４又は凸状に湾曲している面１ａに配備することで、図２２（ｂ）、（ｃ）図示のように展示用ネイルチップ２１ｂを前記ネイルチップ展示具に自立させた状態で展示することができ、また、その姿勢を維持することができる。
【０１６５】
従来のネイルチップ２６は前記ネイルチップ展示具に自立して展示させることができず、ハードケースやフレーム、ボード、台座、等に平面的に配置されるものであったため、ネイルチップ２６の展示方法は平面的なものに限られていた。
【０１６６】
本実施形態では、図２２図示のようにネイルチップ配置補助具１４ａが様々な角度でネイル本体１に配備されているので、上述した配置方法でネイル本体１の表面に施されたデザインを様々な角度で展示することができる。
【０１６７】
また、取付補助体１５、または、突起部８、あるいは、取付補助部材１９のうち、前記針状体、棒状体、板状体、柱状体、筒状体、球状体、錐体を塑性変形可能な部材で形成し、これらを任意に変形することでもネイル本体１の表面に施されたデザインを様々な角度で展示することができる。
【０１６８】
また、取付補助体１５の一方側１６に、ネイル本体１の凹状に湾曲している面１ｂに対応した凸状に湾曲した面１８を形成することにより、取付補助体１５をネイル本体１の凹状に湾曲している面１ｂの任意の箇所に確実に取り付けることができるとともに、ネイル本体１の前記ネイルチップ展示具への配置角度を調節し、ネイル本体１の表面に施されたデザインを様々な角度で展示することができる。
【０１６９】
さらに、取付補助体１５の他方側１７に、図１６（ｄ）図示のように、嵌合凹部９に図９（ｅ）、（ｉ）図示のような取付補助部材１９の一方側１２である球状体を遊嵌すること等、前記係合部と前記被係合部とをネイル本体１の前記ネイルチップ展示具への配置角度を調節可能に係合することでも、ネイル本体１の表面に施されたデザインを様々な角度で展示することができる。
【０１７０】
したがって、顧客の視角に合わせて見本用ネイルチップ１を美しく見せることができる。
【０１７１】
＜第三の実施形態＞
図２３、図２４を参照して、本発明に係る展示用ネイルチップの第三の実施形態を説明する。本実施形態の展示用ネイルチップ２１ｃは、上述したネイルチップ配置補助具の第二の実施形態に係るネイルチップ配置補助具１４ｂを備えている。ネイルチップ配置補助具１４ｂの構成と共通する構成については同じ符号を付し、その説明を省略する。
【０１７２】
図２３（ａ）、（ｂ）図示の展示用ネイルチップ２１ｃでは、ネイル本体１の凹状に湾曲している面１ｂに図１１（ｄ）図示のネイルチップ配置補助具１４ｂが取り付けられている。
【０１７３】
図２３（ｃ）、（ｄ）図示の展示用ネイルチップ２１ｃでは、ネイル本体１の凹状に湾曲している面１ｂに図１２（ｅ）図示のネイルチップ配置補助具１４ｂが取り付けられている。
【０１７４】
本実施形態では、ネイルチップ配置補助具１４ｂが備える接続部２０又は取付補助部材１９のうち、前記針状体、棒状体、板状体、柱状体、筒状体、球状体、錐体を周知の塑性変形可能な部材で成形してもよい。塑性変形可能な部材で成形することで、ネイル本体１の前記ネイルチップ展示具への配置角度を調節して、ネイル本体１を様々な角度で前記ネイルチップ展示具へ配置することができる。
【０１７５】
塑性変形可能な部材で成形された接続部２０又は取付補助部材１９を使用してネイル本体１のネイルチップ展示具への配置角度を調節する場合、図２３（ｂ）図示のように、接続部２０又は取付補助部材１９を指で摘みながらネイル本体１の裏面の接線方向や法線方向、等適当な方向に向くように調節する。
【０１７６】
このように調節することで、展示用ネイルチップ２１ｃを種々のネイルチップ展示具に応じて展示することができる。
【０１７７】
本実施形態では、ネイル本体１が以下のように前記ネイルチップ展示具へ配置されネイルチップ見本セットとなる。
【０１７８】
（１）ネイルチップ配置補助具１４ｂの他方側を前記ネイルチップ展示具に取り付けて又は接触させて、ネイル本体１を前記ネイルチップ展示具に近接させる。
【０１７９】
図２４（ａ）図示の例では、他方側の取付補助体１５が金属製のボード２２ｃの取付面と平行になるように接続部２０を変形させている。そして他方側の取付補助体１５に貼付されている磁石からなる取付補助部材１９が金属製のボード２２ｃに吸着され、ネイル本体１が金属製のボード２２ｃに近接して配置されたネイルチップ見本セット２３となっている。
【０１８０】
（２）ネイルチップ配置補助具１４ｂの他方側を前記ネイルチップ展示具に取り付けて又は接触させて、ネイル本体１の先端部１ｆ、基端部１ｅ（後端部）又は側端部１ｉの何れかを前記ネイルチップ展示具に接触させる。
【０１８１】
図２４（ｂ）図示の例では、塑性変形可能な針状体の部材からなる取付補助部材１９がコルクボード２２ａに差し込まれ、ネイル本体１の先端部１ｆがコルクボード２２ａに接触して配置されたネイルチップ見本セット２３となっている。
【０１８２】
図２４（ｃ）図示の例では、塑性変形可能な針状体の部材からなる取付補助部材１９と塑性変形可能な部材からなる接続部２０を変形させ、コルクボード２２ａに差し込み可能な向きに調節している。そして、取付補助部材１９をコルクボード２２ａに差し込み、ネイル本体１の側端部１ｉがコルクボード２２ａに接触して配置されたネイルチップ見本セット２３となっている。
【０１８３】
図２４（ｄ）図示の例では、塑性変形可能な針状体の部材からなる取付補助部材１９と塑性変形可能な部材からなる接続部２０を変形させ、コルクボード２２ａに接触可能な向きに調節している。そして、取付補助部材１９をコルクボード２２ａに接触させ、ネイル本体１の先端部１ｆがコルクボード２２ａに接触して配置されたネイルチップ見本セット２３となっている。
【０１８４】
図２４（ｅ）図示の例では、塑性変形可能な部材からなる接続部２０を変形させ、他方側の取付補助体１５が台座２２ｂに接触可能な向きに調節している。そして、他方側の取付補助体１５に貼付されている粘着部材からなる取付補助部材１９が台座２２ｂに取り付けられ、ネイル本体１の先端部１ｆが台座２２ｂに接触して配置されたネイルチップ見本セット２３となっている。
【０１８５】
このように、本実施形態の展示用ネイルチップ２１ｃは、ネイル本体１の厚み部３、周縁の厚み部１ｈ、凹状に湾曲している面１ｂ、土台部４又は凸状に湾曲している面１ａに取り付けられたネイルチップ配置補助具１４ｂをネイルチップ展示具に取り付けて展示される。
【０１８６】
そして、図２４（ａ）、（ｂ）、（ｃ）図示のように、ネイルチップ配置補助具１４ｂは、前記ネイルチップ展示具に確実に取り付けられている。
【０１８７】
したがって、従来のネイルチップ見本セット２４におけるネイルチップ２６の配列をくずす衝撃では、本発明に係るネイル本体１が前記ネイルチップ展示具から外れることがなく、展示用ネイルチップ２１ｃの整然とした配列を維持することができる。
【０１８８】
また、ネイルチップ配置補助具１４ｂを前記ネイルチップ展示具から取り外せるので、ネイリストは展示用ネイルチップ２１ｃの配列を容易に変更することができ、ネイルサロン内の限られたスペースやネイルチップ展示具の面積を有効に使うことができる。
【０１８９】
さらに、ネイルアート提供用のネイルチップを顧客の爪に装着、又は顧客の爪から取り外す際、当該ネイルチップや顧客の爪をヤスリで削る等の作業による粉塵が、前記ネイルチップ展示具に付着しにくいので、ネイルチップ見本セット２３の清掃等のメンテナンスが容易である。
【０１９０】
この他、ネイルチップ配置補助具１４ｂをネイル本体１の厚み部３、周縁の厚み部１ｈ、凹状に湾曲している面１ｂ、土台部４又は凸状に湾曲している面１ａに配備することで、図２４（ｂ）、（ｄ）、（ｅ）図示のように展示用ネイルチップ２１ｃを前記ネイルチップ展示具に自立させた状態で展示することができ、また、その姿勢を維持することができる。
【０１９１】
従来のネイルチップ２６は前記ネイルチップ展示具に自立して展示させることができず、ハードケースやフレーム、ボード、台座、等に平面的に配置されるものであったため、ネイルチップ２６の展示方法は平面的なものに限られていた。
【０１９２】
本実施形態では、図２４図示のように塑性変形可能な部材からなる接続部２０又は取付補助部材１９を変形させて、ネイルチップ配置補助具１４ｂが様々な角度でネイル本体１に配備されているので、上述した配置方法でネイル本体１の表面に施されたデザインを様々な角度で展示することができる。
【０１９３】
また、取付補助体１５、または、突起部８、あるいは、取付補助部材１９のうち、前記針状体、棒状体、板状体、柱状体、筒状体、球状体、錐体を塑性変形可能な部材で形成し、これらを任意に変形することでもネイル本体１の表面に施されたデザインを様々な角度で展示することができる。
【０１９４】
また、取付補助体１５の一方側１６に、ネイル本体１の凹状に湾曲している面１ｂに対応した凸状に湾曲した面１８を形成することにより、取付補助体１５をネイル本体１の凹状に湾曲している面１ｂの任意の箇所に確実に取り付けることができるとともに、ネイル本体１の前記ネイルチップ展示具への配置角度を調節し、ネイル本体１の表面に施されたデザインを様々な角度で展示することができる。
【０１９５】
さらに、取付補助体１５の他方側１７に、図１６（ｄ）図示のように、嵌合凹部９に図９（ｅ）、（ｉ）図示のような取付補助部材１９の一方側１２である球状体を遊嵌すること等、前記係合部と前記被係合部とをネイル本体１の前記ネイルチップ展示具への配置角度を調節可能に係合することでも、ネイル本体１の表面に施されたデザインを様々な角度で展示することができる。
【０１９６】
したがって、顧客の視角に合わせて見本用ネイルチップ１を美しく見せることができる。
【０１９７】
以上、添付図面を参照して本発明の好ましい実施形態を説明したが、本発明はかかる実施形態に限定されるものではなく、特許請求の範囲の記載から把握される技術的範囲において種々の形態に変更可能である。
【符号の説明】
【０１９８】
１      ネイル本体
１ａ    凸状に湾曲している面
１ｂ    凹状に湾曲している面
１ｃ    装飾面
１ｄ    非装飾面
１ｅ    ネイル本体の基端部
１ｆ    ネイル本体の先端部
１ｇ    ネイル本体の周縁
１ｈ    周縁の厚み部
１ｉ    ネイル本体の側端部
２    ネイルチップ
３    ネイル本体の厚み部
４    土台部
５    平坦部
６    孔
７    凹部
８    突起部
９    嵌合凹部
１０  係合突起
１１  係合溝
１２  取付補助部材の一方側
１３  取付補助部材の他方側
１４ａ、１４ｂ  ネイルチップ配置補助具
１５  取付補助体
１６  取付補助体の一方側
１７  取付補助体の他方側
１８  凸状に湾曲している面
１９  取付補助部材
２０  接続部
２１ａ、２１ｂ、２１ｃ  展示用ネイルチップ
２２ａ  コルクボード
２２ｂ  台座
２２ｃ  金属製のボード
２３  ネイルチップ見本セット
２４  従来のネイルチップ見本セット
２５  ネイルチップ展示具
２６  従来のネイルチップ
２６ａ  裏面
２６ｂ  周縁
【図１】
2016181925.tif 000003
【図２】
2016181925.tif 000004
【図３】
2016181925.tif 000005
【図４】
2016181925.tif 000006
【図５】
2016181925.tif 000007
【図６】
2016181925.tif 000008
【図７】
2016181925.tif 000009
【図８】
2016181925.tif 000010
【図９】
2016181925.tif 000011
【図１０】
2016181925.tif 000012
【図１１】
2016181925.tif 000013
【図１２】
2016181925.tif 000014
【図１３】
2016181925.tif 000015
【図１４】
2016181925.tif 000016
【図１５】
2016181925.tif 000017
【図１６】
2016181925.tif 000018
【図１７】
2016181925.tif 000019
【図１８】
2016181925.tif 000020
【図１９】
2016181925.tif 000021
【図２０】
2016181925.tif 000022
【図２１】
2016181925.tif 000023
【図２２】
2016181925.tif 000024
【図２３】
2016181925.tif 000025
【図２４】
2016181925.tif 000026
【図２５】
2016181925.tif 000027
【手続補正書】
【提出日】平成29年2月2日(2017.2.2)
【手続補正１】
【補正対象書類名】特許請求の範囲
【補正対象項目名】全文
【補正方法】変更
【補正の内容】
【特許請求の範囲】
【請求項１】
以下の構成を備えるネイルチップ。
（１）ネイル本体
（２）前記ネイル本体のネイルチップ展示具への配置を補助するネイルチップ配置補助具を取り付ける取付部。
（３）前記取付部は、以下の何れかに形成されている。
（ａ）前記ネイル本体の厚み部
（ｂ）前記ネイル本体の周縁の厚み部
（ｃ）前記ネイル本体の凹状に湾曲している面
（ｄ）前記ネイル本体の凹状に湾曲している面に形成されている土台部
（ｅ）前記ネイル本体の凸状に湾曲している面
【請求項２】
前記取付部は、以下の構成の何れかを備える請求項１記載のネイルチップ。
（１）前記ネイルチップ配置補助具の一方側が取り付けられる平坦部
（２）前記ネイルチップ配置補助具の一方側が取り付けられる突起部又は凹部
（３）前記ネイルチップ配置補助具の一方側が挿入又は螺入される孔
（４）前記ネイルチップ配置補助具の一方側に形成されている係合部が係合される被係合部
【請求項３】
前記土台部は塑性変形可能な部材からなる
請求項１又は２記載のネイルチップ。
【請求項４】
前記突起部は塑性変形可能な部材からなる
請求項２記載のネイルチップ。
【請求項５】
前記係合部と被係合部とは、前記ネイル本体の前記ネイルチップ展示具への配置角度を調節可能に係合される
請求項２記載のネイルチップ。
【請求項６】
以下の構成を備えるネイル本体のネイルチップ展示具への配置を補助するネイルチップ配置補助具。
（１）取付補助体
（２）前記取付補助体の一方側は以下の何れかに取り付けられる。
（ａ）前記ネイル本体の厚み部
（ｂ）前記ネイル本体の周縁の厚み部
（ｃ）前記ネイル本体の凹状に湾曲している面
（ｄ）前記ネイル本体の凹状に湾曲している面に形成されている土台部
（ｅ）前記ネイル本体の凸状に湾曲している面
（３）前記取付補助体の他方側には、針状体、棒状体、板状体、柱状体、筒状体、球状体、錐体、粘着部材、磁石、吸着部材、面ファスナーのフック部又はループ部から選択される一又は複数の部材を備える取付補助部材が取り付けられる取付部が形成されている。
【請求項７】
前記取付部は、以下の構成の何れかを備える請求項６記載のネイルチップ配置補助具。
（１）前記取付補助部材の一方側が取り付けられる平坦部
（２）前記取付補助部材の一方側が取り付けられる突起部又は凹部
（３）前記取付補助部材の一方側が挿入又は螺入される孔
（４）前記取付補助部材の一方側に形成されている係合部が係合される被係合部
【請求項８】
前記係合部と被係合部とは、前記ネイル本体の前記ネイルチップ展示具への配置角度を調節可能に係合される
請求項７記載のネイルチップ配置補助具。
【請求項９】
以下の構成を備えるネイル本体のネイルチップ展示具への配置を補助するネイルチップ配置補助具。
（１）取付補助体
（２）前記取付補助体に一方側が取り付けられる取付補助部材
（３）前記ネイルチップ配置補助具は、以下のようにして前記ネイル本体の前記ネイルチップ展示具への配置を補助する。
（ａ）前記取付補助部材の他方側を前記ネイルチップ展示具に取り付けて又は接触させて、前記ネイル本体を前記ネイルチップ展示具に近接させる。
（ｂ）前記取付補助部材の他方側を前記ネイルチップ展示具に取り付けて又は接触させて、前記ネイル本体の先端部、後端部又は側端部の何れかを前記ネイルチップ展示具に接触させる。
【請求項１０】
前記取付補助体の複数と、又は、前記取付補助体と前記取付補助部材とに接続している接続部を備える
請求項９記載のネイルチップ配置補助具。
【請求項１１】
前記接続部は塑性変形可能な部材からなる
請求項１０記載のネイルチップ配置補助具。
【請求項１２】
前記取付補助部材は前記取付補助体に着脱可能に取り付けられる
請求項９記載のネイルチップ配置補助具。
【請求項１３】
前記取付補助部材は前記接続部に着脱可能に取り付けられる
請求項１０又は１１記載のネイルチップ配置補助具。
【請求項１４】
前記取付補助体は、棒状体、板状体、柱状体、筒状体、球状体、錐体から選択される一又は複数の形状を有する
請求項６乃至１３の何れか一項に記載のネイルチップ配置補助具。
【請求項１５】
前記取付補助体は塑性変形可能な部材からなる
請求項１４記載のネイルチップ配置補助具。
【請求項１６】
前記取付補助体は、前記ネイル本体の凹状に湾曲している面に対応する凸状に湾曲している面を有する
請求項１４又は１５記載のネイルチップ配置補助具。
【請求項１７】
前記取付補助部材は、針状体、棒状体、板状体、柱状体、筒状体、球状体、錐体、粘着部材、磁石、吸着部材、面ファスナーのフック部又はループ部から選択される一又は複数の部材を備える
請求項乃至９乃至１６の何れか一項に記載のネイルチップ配置補助具。
【請求項１８】
前記針状体、棒状体、板状体、柱状体、筒状体、球状体、錐体は塑性変形可能な部材からなる
請求項１７記載のネイルチップ配置補助具。
【請求項１９】
以下の構成を備える展示用ネイルチップ。
（１）ネイル本体
（２）前記ネイル本体のネイルチップ展示具への配置を補助するネイルチップ配置補助具
（３）前記ネイルチップ配置補助具は、以下の何れかと一体成形されている。
（ａ）前記ネイル本体の厚み部
（ｂ）前記ネイル本体の周縁の厚み部
（ｃ）前記ネイル本体の凹状に湾曲している面
（ｄ）前記ネイル本体の凹状に湾曲している面に形成されている土台部
（ｅ）前記ネイル本体の凸状に湾曲している面
（４）前記ネイル本体は以下のようにして前記ネイルチップ展示具へ配置される。
（ａ）前記ネイルチップ配置補助具の他方側を前記ネイルチップ展示具に取り付けて又は接触させて、前記ネイル本体を前記ネイルチップ展示具に近接させる。
（ｂ）前記ネイルチップ配置補助具の他方側を前記ネイルチップ展示具に取り付けて又は接触させて、前記ネイル本体の先端部、後端部又は側端部の何れかを前記ネイルチップ展示具に接触させる。
【請求項２０】
以下の構成を備える展示用ネイルチップ。
（１）ネイル本体
（２）前記ネイル本体のネイルチップ展示具への配置を補助するネイルチップ配置補助具
（３）前記ネイルチップ配置補助具の一方側を取り付ける取付部
（４）前記取付部は、以下の何れかに形成されている。
（ａ）前記ネイル本体の厚み部
（ｂ）前記ネイル本体の周縁の厚み部
（ｃ）前記ネイル本体の凹状に湾曲している面
（ｄ）前記ネイル本体の凹状に湾曲している面に形成されている土台部
（ｅ）前記ネイル本体の凸状に湾曲している面
（５）前記ネイル本体は以下のようにして前記ネイルチップ展示具へ配置される。
（ａ）前記ネイルチップ配置補助具の他方側を前記ネイルチップ展示具に取り付けて又は接触させて、前記ネイル本体を前記ネイルチップ展示具に近接させる。
（ｂ）前記ネイルチップ配置補助具の他方側を前記ネイルチップ展示具に取り付けて又は接触させて、前記ネイル本体の先端部、後端部又は側端部の何れかを前記ネイルチップ展示具に接触させる。
【請求項２１】
前記取付部は、以下の構成の何れかを備える請求項２０記載の展示用ネイルチップ。
（１）前記ネイルチップ配置補助具の一方側が取り付けられる平坦部
（２）前記ネイルチップ配置補助具の一方側が取り付けられる突起部又は凹部
（３）前記ネイルチップ配置補助具の一方側が挿入又は螺入される孔
（４）前記ネイルチップ配置補助具の一方側に形成されている係合部が係合される被係合部
【請求項２２】
前記土台部は塑性変形可能な部材からなる
請求項２０又は２１記載の展示用ネイルチップ。
【請求項２３】
前記突起部は塑性変形可能な部材からなる
請求項２１記載の展示用ネイルチップ。
【請求項２４】
前記係合部と被係合部とは、前記ネイル本体の前記ネイルチップ展示具への配置角度を調節可能に係合される
請求項２１記載の展示用ネイルチップ。
【請求項２５】
前記ネイルチップ配置補助具は、針状体、棒状体、板状体、柱状体、筒状体、球状体、錐体から選択される一又は複数の形状を有する
請求項１９乃至２４の何れか一項に記載の展示用ネイルチップ。
【請求項２６】
前記ネイルチップ配置補助具は塑性変形可能な部材からなる
請求項２５記載の展示用ネイルチップ。
【請求項２７】
前記ネイルチップ配置補助具は、以下の構成を備える請求項２０又は２１記載の展示用ネイルチップ。
（１）取付補助体
（２）前記取付補助体に取り付けられる取付補助部材。
【請求項２８】
前記取付補助体の複数と、又は、前記取付補助体と前記取付補助部材とに接続している接続部を備える
請求項２７記載の展示用ネイルチップ。
【請求項２９】
前記接続部は塑性変形可能な部材からなる
請求項２８記載の展示用ネイルチップ。
【請求項３０】
前記ネイルチップ配置補助具の一方側は前記取付部に着脱可能に取り付けられる
請求項２０乃至２７の何れか一項に記載の展示用ネイルチップ。
【請求項３１】
前記取付補助部材は前記取付補助体に着脱可能に取り付けられる
請求項２７記載の展示用ネイルチップ。
【請求項３２】
前記取付補助部材は前記接続部に着脱可能に接続される
請求項２８又は２９記載の展示用ネイルチップ。
【請求項３３】
前記取付補助体は、棒状体、板状体、柱状体、筒状体、球状体、錐体から選択される一又は複数の形状を有する
請求項２７乃至３２の何れか一項に記載の展示用ネイルチップ。
【請求項３４】
前記取付補助体は塑性変形可能な部材からなる
請求項３３記載の展示用ネイルチップ。
【請求項３５】
前記取付補助体は、前記ネイル本体の凹状に湾曲している面に対応する凸状に湾曲している面を有する
請求項３３又は３４記載の展示用ネイルチップ。
【請求項３６】
前記取付補助部材は、針状体、棒状体、板状体、柱状体、筒状体、球状体、錐体、粘着部材、磁石、吸着部材、面ファスナーのフック部又はループ部から選択される一又は複数の部材を備える
請求項２７乃至３５の何れか一項に記載の展示用ネイルチップ。
【請求項３７】
前記針状体、棒状体、板状体、柱状体、筒状体、球状体、錐体は塑性変形可能な部材からなる
請求項３６記載の展示用ネイルチップ。
【手続補正２】
【補正対象書類名】明細書
【補正対象項目名】００１８
【補正方法】変更
【補正の内容】
【００１８】
請求項９の発明は、以下の構成を備えるネイル本体のネイルチップ展示具への配置を補助するネイルチップ配置補助具である。
（１）取付補助体
（２）前記取付補助体に一方側が取り付けられる取付補助部材
（３）前記ネイルチップ配置補助具は、以下のようにして前記ネイル本体の前記ネイルチップ展示具への配置を補助する。
（ａ）前記取付補助部材の他方側を前記ネイルチップ展示具に取り付けて又は接触させて、前記ネイル本体を前記ネイルチップ展示具に近接させる。
（ｂ）前記取付補助部材の他方側を前記ネイルチップ展示具に取り付けて又は接触させて、前記ネイル本体の先端部、後端部又は側端部の何れかを前記ネイルチップ展示具に接触させる。
【手続補正３】
【補正対象書類名】明細書
【補正対象項目名】０１４０
【補正方法】変更
【補正の内容】
【０１４０】
したがって、顧客が座っている状態のままでも顧客が身を乗り出すことがなく、顧客の視角に合わせて展示用ネイルチップ２１ａを美しく見せることができる。
【手続補正４】
【補正対象書類名】明細書
【補正対象項目名】０１７０
【補正方法】変更
【補正の内容】
【０１７０】
したがって、顧客の視角に合わせて展示用ネイルチップ２１ｂを美しく見せることができる。
【手続補正５】
【補正対象書類名】明細書
【補正対象項目名】０１９６
【補正方法】変更
【補正の内容】
【０１９６】
したがって、顧客の視角に合わせて展示用ネイルチップ２１ｃを美しく見せることができる。
【国際調査報告】
2016181925.tif 000028
2016181925.tif 000029